(57)【特許請求の範囲】
【請求項１】
基板と、前記基板上に配列される少なくとも１つの電極と、前記基板上に前記少なくとも１つの電極に平行するように形成される少なくとも１つの第１隔壁と、前記基板上に前記少なくとも１つの電極に垂直するように形成される少なくとも１つの第２隔壁と、前記少なくとも１つの電極の上部に形成される蛍光体層とを含んで構成されるプラズマディスプレイパネルにおいて、
前記第１隔壁のうち少なくとも何れか一方の側面と、前記第２隔壁のうち少なくとも何れか一方の側面とは発光を行うように形成され、
前記第１隔壁の上部の厚さは、前記第１隔壁の下部の厚さよりさらに薄く、前記第２隔壁のうち少なくとも一方の端部の厚さは、前記第２隔壁の中心部分の厚さよりさらに厚いことを特徴とするプラズマディスプレイパネル。
【請求項２】
前記第１隔壁のうち少なくとも何れか一方の側面は、紫外線を受ける蛍光体層の発光面積が効果的に増加するように、傾斜して形成されることを特徴とする請求項１に記載のプラズマディスプレイパネル。
【請求項３】
前記第１隔壁のうち少なくとも一方の上部及び下部は、傾斜して形成されることを特徴とする請求項２に記載のプラズマディスプレイパネル。
【請求項４】
前記第１隔壁の側面全体は傾斜して形成されることを特徴とする請求項２に記載のプラズマディスプレイパネル。
【請求項５】
前記第１隔壁の側面のうち少なくとも一方の領域は、紫外線を受ける蛍光体層の発光面積が効果的に増加するように、前記紫外線に対向して形成されることを特徴とする請求項１に記載のプラズマディスプレイパネル。
【請求項６】
前記第１隔壁のうち少なくとも一方の上部及び下部は、前記紫外線に対向して形成されることを特徴とする請求項５に記載のプラズマディスプレイパネル。
【請求項７】
前記第１隔壁の側面全体は、前記紫外線に対向して形成されることを特徴とする請求項５に記載のプラズマディスプレイパネル。
【発明の詳細な説明】
【０００１】
【発明の属する技術分野】
本発明は発光輝度と効率及び排気能力を向上させたプラズマディスプレイパネルに関する。
【０００２】
【従来の技術】
一般的に、ガス放電表示装置であるプラズマディスプレイパネル（ＰＤＰ）はその電極構造によって直流型と交流型、そして、直流型と交流型とが結合された混合型とに分離される。直流型と交流型は放電プラズマに電極が露出されているか否かによって決定される。即ち、直流型は電極が放電プラズマに直接露出され、交流型は電極が誘電体を介して間接的にプラズマに結合される。このような違いは放電現象の違いから現れ、交流型の場合、放電によって形成された荷電粒子が誘電体層に蓄積される。即ち、電子は陽（＋）電位が与えられた電極上の誘電体層に蓄積され、イオンは陰（−）電位が与えられた電極上の誘電体層に蓄積される。
【０００３】
従来の技術に係る３電極面放電ＡＣ型プラズマディスプレイパネルは図１に示すように、全面基板１と背面基板１ａを有し、互いに直交する方向に多数平行にＸ電極４とＹ電極２が配置され、Ｙ電極に平行にＺ電極３が配置されている。Ｙ、Ｚ電極２，３とＸ電極４とが交差する箇所に形成されるセル５がマトリクス状に配置されることになる。Ｙ、Ｚ電極の形成方向を行方向とし、Ｘ電極の方向を列方向とする。
【０００４】
上記のように、各電極が交差する地点にセル５が構成されている。Ｙ電極２はスキャン電極として画面の走査のために用いられ、Ｚ電極３は放電維持電極として、放電を保持させるために用いられる。そして、Ｘ電極４はアドレス電極としてデータ入力に用いられる。各セルに形成されたＸ電極４はＸ電極の駆動回路に連結され、アドレスパルスを印加され、Ｙ電極２はＹ電極の駆動回路に連結され、スキャンパルスを印加される。そして、Ｚ電極３はＺ電極の駆動回路に連結され、放電維持パルスを印加される。
【０００５】
以下、添付の図面を参照して従来技術に係るプラズマディスプレイパネルのセルを分離するための隔壁構造について説明する。この隔壁構造には従来ストライプタイプとウェルタイプがある。
【０００６】
図２ａは従来技術に係るプラズマディスプレイパネルのストライプタイプの隔壁構造を示すレイアウト図である。
まず、ストライプタイプの隔壁構造は、図２ａに示すように、第１基板に行方向にＹ電極１１とＺ電極１２とからなる電極対が一定の間隔を置いて多数形成されている。これらの電極対を横切る方向に、互いに一定の間隔を設けてストライプタイプの隔壁１３が形成されている。その隔壁と隔壁との間の中央部にはＸ電極（図示せず）が形成される。
符号２１は放電領域を表し、２２は主放電領域を表している。
【０００７】
図２ｂは図２ａのＩ−Ｉ’線による断面図であって（第１基板は便宜上９０度回転して示す）、第１基板１０上にＹ電極１１とＺ電極１２とから構成される第１基板電極対が形成され、その第１基板電極対が形成された第１基板１０上に第１誘電層１５が形成されている。第１基板１０と対向する第２基板１０ａ上には第１基板電極対と交差する方向にＸ電極１４が形成され、そのＸ電極１４を含む第２基板１０ａ上に第２誘電層１６が形成されている。さらに、それらが形成された第２基板１０ａの上には隣接したＸ電極間のリークを防止するためにＸ電極と一定の距離をおいてその両側に隔壁１３が形成されている。その隔壁１３及び第２誘電層１６上に蛍光体層１７が形成される。
【０００８】
主放電領域２２は上下の基板の中央部に生じるので、ストライプタイプの隔壁は隔壁１３の下側がその主放電領域２２から遠くなる。したがって、主放電領域からＸ電極１４の蛍光体層１８までの距離に比べて隔壁１３の下側の蛍光体層１８までの距離が遠いので、放電により発生した紫外線が隔壁の下側の蛍光体層に達する前に損失が発生する。
【０００９】
図３は従来技術に係るプラズマディスプレイパネルのウェルタイプの隔壁構造を示すレイアウト図である。
【００１０】
次に、従来技術に係るプラズマディスプレイパネルのウェルタイプの隔壁構造を調べると、電極の配置は図２ａの構造と同様であるが、図２ａは第１基板電極対と交差する方向にのみ隔壁が形成されていたのに対して、図３に示すプラズマディスプレイパネルは第１基板電極対と交差する方向だけでなく、第１基板電極対が形成された方向にも横隔壁１３ａが形成されている。
説明の便宜上、本明細書においては、第１基板電極対と交差する方向に形成された隔壁を縦隔壁１３と称し、第１基板電極対と同一の方向に形成された隔壁を横隔壁１３ａと称する。
【００１１】
このようにウェルタイプの隔壁を採用する理由はストライプタイプの隔壁を採用する場合、放電による紫外線がセル境界部分まで至るうちに損失が発生することを防止するためであった。
しかし、図３に示すように、ウェルタイプの隔壁を採用しても放電領域２１の四カ所の角部分は主放電領域２２から遠く離れていることが分かるであろう。
【００１２】
上述した、従来技術に係るストライプタイプまたはウェルタイプ隔壁構造を有するプラズマディスプレイパネルは次のような問題点があった。
第一に、ストライプタイプの隔壁を採用した構造は排気は容易であるが、紫外線及び可視光が縦方向の隣接セルの方に移動することができるため、それによる誤放電及びクロストークを引き起こす。そして、放電領域が主放電領域から遠く離れた部分が多くなり、輝度が減少する。
第二に、ウェルタイプの隔壁を採用した構造は隣接セル間のクロストークは防止できるものの、排気が良く行えないので残留ガスなどによる誤放電のおそれがあるだけでなく、ストライプタイプと同様に放電領域の角部分が主放電領域から遠く離れているので、ストライプタイプの隔壁を採用した構造と同様に、輝度の低下を防止できない。
【００１３】
【発明が解決しようとする課題】
本発明は上記従来技術の問題点を解決するために成されたもので、放電領域の角部分でも輝度の低下を防止し且つ、排気能力を向上させることのできるプラズマディスプレイパネルを提供することが目的である。
【００１４】
【課題を解決するための手段】
本発明によるプラズマディスプレイパネルは、第１基板と、第１基板上に形成され複数の第１基板電極対と、第２基板と、第２基板上に第１基板電極対と交差する方向に形成された第２基板電極と、第２基板電極を含む第２基板上に形成された第１誘電層と、第１誘電層上に第１と第２方向にセルを区画するように形成された隔壁と、第１基板電極対を含む前記第１基板上に所定の高さに形成され、その表面領域に前記第１方向と第２方向のいずれか又は双方に所定の幅及び深さの溝を有する第２誘電層を含むことを特徴とする。
【００１５】
【発明の実施の形態】
以下、添付の図面に基づいて、本発明に関連する参考例とともに、本発明の実施形態によるプラズマディスプレイパネルをより詳細に説明する。
【００１６】
（第１参考例）
まず、図４ａ及び図４ｂは、本発明に関連する第１参考例によるプラズマディスプレイパネルである。このパネルは、Ｙ電極４１とＺ電極４２とで一方向に形成された第１基板電極対（維持電極）を第１基板上に形成している。第２基板には従来同様Ｘ電極が形成されているが、本発明とは直接的な関係がないので省略している。この第２基板に隔壁が形成されるが、本参考例は従来の隔壁と同様の第１隔壁４３の他に、その両面側面に形成された補助隔壁４３ａと第１隔壁４３の間に第１隔壁４３と直交する方向に形成させた第２隔壁４３ｂとで全体の隔壁が形成されている。第２隔壁４３ｂは、平行に並んだ第１隔壁４３の間にそれら他の間に隙間ができる程度に短く形成され、しかも、その壁厚が中央部が薄く、両端に向かうに従って順次両側に対称的に広がって厚くなるように形成されている。
すなわち、個々のセルで見ると、第２隔壁４３ｂは、セル領域の広がりが中央部で広く、角部で狭くなるように形成されている。なお、図中５１は主放電領域を示している。また、補助電極４３ａは第１電極４３の両側面、すなわちセル側に形成させるが、第１側壁４３の上側より下側の方をより厚く形成する。
【００１７】
このように、第２隔壁４３ｂの両側と第１隔壁４３を密着せずに分離させ、通路を形成するので、通路を排気通路として用いることができ、排気能力を極大化することができる。また、前述した第２隔壁４３ｂの形状によって主放電領域５１を最大限確保することができる。さらに、図４ａのＩ−Ｉ’線による断面図を示す図５（第１基板は説明の便宜上９０度回転して示す）にも示しているように、第１隔壁４３の両側面に補助隔壁４３ａはその下側が上側より大きな幅に形成されているので、第１隔壁４３の下側の部分を主放電領域に最大限近接させることができる。この補助隔壁４３ａは全体として丸みを持たせ下側が幅広になるように形成させている。特に先端部分第１基板電極対に面している箇所は丸みを持たせることが望ましい。
図中４０は第１基板、４０ａは第２基板、４４はＸ電極、４５及び４６は誘電層を示し、４７は蛍光体層を示す。
【００１８】
また、図６は補助隔壁の他の例であり、図５の補助隔壁４３ａと異なり、第１隔壁４３の下側の部分にのみ所定の高さ及び幅を有する補助隔壁４３ａを２段に形成して、第１隔壁４３の下側の部分が主放電領域５１により近づくようにしたものである。
【００１９】
図７ａないし７ｃは第２隔壁４３ｂの他の例を示すものである。まず、図７ａは図４ａ及び図４ｂに示した第２隔壁４３ｂの中央部を横方向で分離させた例であり、図７ｂは図４ａ及び図４ｂに示した第２隔壁４３ｂの中央部を縦方向で分離した例であり、図７ｃは図４ａ及び図４ｂに示した第２隔壁４３ｂを縦横両方向で分離させた例である。この図７ａないし図７ｃに示した第２隔壁４３ａは、排気通路を最大限確保して排気能力を向上させるようにしたものである。
【００２０】
本参考例によるプラズマディスプレイパネルは次のような効果がある。
第一に、隔壁の下側が主放電領域に最大限近づくような形態で主放電領域の横方向及び縦方向に対して隔壁を形成するので、放電により発生した紫外線が隔壁の下側の隅部へ達するうちに消滅するという現象を防止することができ、輝度及び効率を高めることができる。
第二に、縦方向の隔壁と横方向の隔壁とを分離してあるので、それらの間に排気通路を確保することができ排気能力を向上させることができる。
【００２１】
（第２参考例）
図８に示すように、本発明に関連する第２参考例によるプラズマディスプレイパネルは一定の間隔を保って平行に結合された第１基板１１０と第２基板１２０とを有する。もちろん、それ自体は従来も同様である。そして、第１基板１１０の下側の面、第２基板側の面にはセルの発光を保持するための第１基板電極対（維持電極）１１１が設けられ、その電極対と基板との間にブラックマトリクス（図示せず）が形成されている。
第１基板電極対１１１とブラックマトリクスは塑性形成された誘電層１１２と保護層１１３によって密閉される。
【００２２】
第２基板１２０の第１基板側の面、上側面には蛍光体１２３が塗布されたストライプタイプの隔壁１２１が備えられ、その隔壁１２１の間には同一な間隔を置いて多数の区画突起１３０が直立するようにして備えられる。この区画突起１３０は隔壁１２１の間にあって、セルとセルとの境界部に当たるに配置されることが好ましい。
【００２３】
この区画突起１３０は円錐状突起、角柱状突起その他の形状の突起であり、形状そのものは格別の意味はないが、その先端部、下端部とも隔壁１２１の内側面から離れるのが望ましいが、下端部は隔壁１２１の内側面に付着していても構わない。
また、区画突起１３０はその下側から上側へ行くほどその断面形状が次第に小さくなる形状に形成されることが好ましい。図８の第１基板１１０と第２基板１２０の結合断面を示す図９のように、区画突起１３０が円錐状に形成される。図１０には区画突起１３０が六面体であるものを示している。
図中、符号１２２は第２基板電極（アドレス電極）である。
【００２４】
このように構成された本参考例によるプラズマディスプレイパネルは、区画突起１３０を除いては一般の構成とほとんど代わるところはない。以下その区画突起１３０を中心に本参考例の作用・効果を説明する。
【００２５】
第１基板１１０と第２基板１２０を仮密封した状態で内部に放電ガスを充填する前に大気圧状態の残留ガスを除去する。このとき、本発明による隔壁１２１の間には区画突起１３０が配置されており、その区画突起１３０の下端部と上端部はそれぞれ隔壁１２１の内側面に対して離してあるので、残留ガスの排気が円滑となり、排気工程を短縮させることができる。
また、各セルの境界部位に区画突起１３０が設けられることにより、紫外線及び可視光線が隣接した他のセルへ移動するのを遮断することができ、区画突起１３０によりそれぞれのセルが区画されるので、輝度及び効率が増加し且つ、それによるコントラストの向上を期待することができる。
【００２６】
（実施形態）
本発明の実施形態によるプラズマディスプレイパネルを図１１に示す。この実施形態も第１基板２５１と第２基板２５１ａを有し、第１基板２５１には互いに一定の間隔を置いて形成された複数の第１基板電極対２５５を、第２基板２５１ａには第２基板電極２５９（図示せず）を備えている。そして、第２基板電極２５９を含む第２基板２５１ａ上には第１誘電層２５２が形成され、その第１誘電層２５２の上に横方向及び縦方向に交差する格子構造の隔壁２５３が形成され、その隔壁２５３を含む第１誘電層２５２上に蛍光体層２５４が形成されている。上記構成それ自体は格別新規なものではなく、したがってまた、上記構成にこだわるわけでもない。本実施形態の特徴的な形状は第１基板２５１に形成される第２誘電層２５７の形状である。この第２誘電層２５７は第１電極対２５５が形成された第１基板２５１の全面に形成されるが、隔壁２５３のうち縦方向の隔壁２５３−１と対応する箇所で、第１電極対２５５が形成された方向、すなわち隔壁２５３−１に沿って所定の深さの溝２５６が形成されている。この溝２５６は縦方向の隔壁２５３−１の幅より広く形成されている。
【００２７】
上述したように、本実施形態によるプラズマディスプレイパネルは第１基板２５１上に形成された第２誘電層２５７のうち縦方向の隔壁２５３−１に対応する箇所に第１基板電極対２５５の形成方向と同一方向に形成された溝２５６を有する。
【００２８】
図１２〜図１４は本実施形態によるプラズマディスプレイパネルを若干変形した例であり、溝の形成位置を異ならせたものである。
図１２に示す例は、第２誘電層２５７領域のうち縦方向の隔壁２５３−１の間に当たる領域に溝２５６を形成させたものである。溝の形成方向は第１、第２電極対２５５の形成方向と同一である。
【００２９】
図１３に示す例は、第２誘電層２５７領域のうち横方向の隔壁２５３−２と対応する領域に溝２５６を形成させたものである。溝２５６の形成方向は第２基板電極２５９の形成方向と同一であり、第１基板電極対２５５と交差する方向である。図１３は横方向の隔壁２５３−２を中心にした断面図であるので、図１２に示した第１基板電極対２５５を示していない。
【００３０】
図１４に示す例は、第２誘電層２５７領域のうち横方向の隔壁２５３−２の間に対応する領域に溝２５６を形成させた例である。溝２５６の形成方向は第２基板電極２５９の形成方向と同一であり、第１基板電極対２５５と交差する方向である。図１３同様、図１４は横方向の隔壁２５３−２を中心にした断面図であるので、図１２の第１基板電極対２５５を示していない。
【００３１】
上述した実施形態の他にも図示してはないが、図１１と図１３とを併用した場合として、第２誘電層領域のうち縦方向の隔壁と対応する領域に第１基板電極対の形成方向と同一方向に溝を形成し、第２誘電層領域のうち横方向の隔壁と対応する領域に第２基板電極の形成方向と同一方向（第１基板電極対の形成方向と交差する方向）に溝を形成することもできる。
【００３２】
また、図１２と図１４とを併用した場合として、第２誘電層領域のうち縦方向の隔壁の間の対応する領域に第１基板電極対の形成方向と同一方向に溝を形成し、第２誘電層領域のうち横方向の隔壁の間に対応する領域に第２基板電極の形成方向と同一方向（第１基板電極対の形成方向と交差する方向）に溝を形成できる。又、これらの限定されずに、その他の箇所に、他の形状の溝を形成することもできる。
【００３３】
本実施形態によるプラズマディスプレイパネルは次のような効果がある。
第一に、格子構造の隔壁を採用することで隣接セル間のクロストーク及び誤放電を防止することができる。
第二に、第２誘電層の溝により、排気経路を確保でき、排気能力を向上させ、排気時間を短縮することができる。
第三に、誘電層に溝を形成することで誘電層の厚さを減少させ、透過率を増加させることにより、高輝度及び高効率のプラズマディスプレイパネルを実現することができる。
第四に、溝の形成部位への電界の集中現象によって放電開始電圧を低めることができる。
【００３４】
（第３参考例）
本発明に関連する第３参考例によるプラズマディスプレイパネルを図１５に示す。図示のように、第１基板上に一方向に形成された第１基板電極対（維持電極）３４１、３４２と、その第１基板電極対３４１、３４２と交差する方向に形成された第２基板電極（アドレス電極）３４３と、第１基板電極対３４１、３４２と第２基板電極３４３との交差部位に形成されるセル領域を隔てるためにセルの左右両側に第１基板電極対３４１、３４２と交差する方向に形成される第１隔壁３４４とを備えている。この構造自体も格別新規なものではない。この参考例ではセルを区画するための第２隔壁３４４ａが特徴である。この第２隔壁３４４ａは、セル領域を隔てるようにセルの上下両側に配置されている。そして、第１隔壁３４４とは離れるように形成されている。符号３４５は主放電領域を示す。
第２隔壁３４４ａは図１５に示すように、第１基板電極対３４１、３４２と同一の方向に二つ平行に並んで形成されるか、または図１６のように、第１隔壁３４４と同一の方向に互いに一定の距離をおいて平行に並ぶように形成される。
したがって、第１隔壁３４４と第２隔壁３４４ａとは互いに離れており、その分離領域を排気通路として使用することができるとともに、第２隔壁を用いて荷電粒子によって隣接セル間に発生するクロストークを防止することができる。
【００３５】
図１７と図１８は上記第３参考例のさらなる変形例であり、セル間の境界領域に横方向に形成させた第２隔壁を図１５及び図１６に比べ大きな幅に形成させたものである。このように第２隔壁を厚くすることによって、排気通路を確保したうえで、コントラストを向上させるようにしたものである。通常のプラズマディスプレイパネルはコントラストを向上させるためにブラックマトリクスを構成するが、そのブラックマトリクスを使用しないプラズマディスプレイパネルにも適用してコントラストを向上させることができる。
【００３６】
図１７のように、第１基板電極対３４１、３４２と交差する方向に第１隔壁３４４を形成すると同時に第１隔壁３４４の間の上下セル間の境界領域に第２隔壁３４４ａを第１隔壁３４４に比べて所定の比率だけ増加した幅（約２倍）に形成してコントラストを向上させている。
【００３７】
また、図１８に示すように、第２隔壁３４４ａを、セルと対向する部分が第１幅を有し、その中央部は第１幅より小さい第２幅を有するようにＨ状に構成する。このとき、第１幅は第２幅の２倍以上となる。
図１７のように構成する場合、コントラストの側面でより効果的であり、図１８のように構成する場合は、排気用の空間が広がり、排気能力がより優れたものとなる。
【００３８】
本参考例によるプラズマディスプレイパネルは排気空間を確保した横隔壁を多数形成することにより、排気能力を向上させ且つ、クロストーク及び誤放電を防止することができ、横隔壁を大きな幅に形成することによってブラックマトリクス層を備えたプラズマディスプレイパネルは勿論のこと、ブラックマトリクス層の存在しないプラズマディスプレイパネルの場合にもコントラストを向上できる効果が得られる。
【００３９】
【発明の効果】
以上詳細に説明したように、本発明は、クロストークや誤放電を防止するための横方向の隔壁を、従来のものとは異なった様々な特徴を備えた形状に変形させ、排気能力を高め、同時に発光効率を高めることが可能となった。
【図面の簡単な説明】
【図１】一般的な３電極面放電ＡＣ型プラズマディスプレイパネルのレイアウト図。
【図２ａ】従来のストライプタイプの隔壁を有するプラズマディスプレイパネルのレイアウト図。
【図２ｂ】図２ａのＩ−Ｉ’線による断面図。
【図３】従来のウェルタイプの隔壁を有するプラズマディスプレイパネルのレイアウト図。
【図４ａ】本発明に関連する第１参考例によるプラズマディスプレイパネルのレイアウト図。
【図４ｂ】図４ａの隔壁構造の斜視図。
【図５】図４ａのＩ−Ｉ’線による断面図。
【図６】補助隔壁の他の例を示す図面。
【図７ａ】〜
【図７ｃ】第２隔壁の他の例を示す図面。
【図８】本発明に関連する第２参考例によるプラズマディスプレイパネルを示す分解斜視図。
【図９】図８の結合状態を示す断面図。
【図１０】図８で区画突起の形状を異にした分解斜視図。
【図１１】〜
【図１４】本発明の実施形態によるプラズマディスプレイパネルを示す断面図。
【図１５】〜
【図１８】本発明に関連する第３参考例によるプラズマディスプレイパネルを示すレイアウト図。
【符号の説明】
２５１…第１基板、２５１ａ…第２基板、２５２…第１誘電層、２５３…隔壁、２５４…蛍光体層、２５５…第１基板電極対、２５６…溝、２５７…第２誘電層、２５９…第２基板電極。
【図１】
0003723808.tif 000002
【図２ａ】
0003723808.tif 000003
【図２ｂ】
0003723808.tif 000004
【図３】
0003723808.tif 000005
【図４ａ】
0003723808.tif 000006
【図４ｂ】
0003723808.tif 000007
【図５】
0003723808.tif 000008
【図６】
0003723808.tif 000009
【図７ａ】
0003723808.tif 000010
【図７ｂ】
0003723808.tif 000011
【図７ｃ】
0003723808.tif 000012
【図８】
0003723808.tif 000013
【図９】
0003723808.tif 000014
【図１０】
0003723808.tif 000015
【図１１】
0003723808.tif 000016
【図１２】
0003723808.tif 000017
【図１３】
0003723808.tif 000018
【図１４】
0003723808.tif 000019
【図１５】
0003723808.tif 000020
【図１６】
0003723808.tif 000021
【図１７】
0003723808.tif 000022
【図１８】
0003723808.tif 000023